(57)【要約】      （修正有）【課題】高齢者や登山者用として、杖の底端箇所に取り付け、使用者の足下の地形及び進路を照らすことができる杖ランプ装置を提供する。【解決手段】杖ランプ装置は、本体１と、透光カバー２と、複数の発光ランプと、電力供給ユニットと、を含んで構成され、該杖ランプ装置は、杖底端箇所に組み付けられ、発光ランプの発光が透光カバー外に透過し、使用者の足下の地形及び進路を照明する。もって、使用者に外で光線が不足しているか、暗がりである環境においても、良好な識別性を提供し、事故傷害が発生することを回避する。【選択図】図５
0003167949.tif 000002
【実用新案登録請求の範囲】
【請求項１】
本体と、複数の発光ランプと、透光カバーと、電力供給ユニットと、を含み、
該本体は、その上端に組み込み溝を設け、該本体は、組み込み溝により杖底端に被さり設置定位し、
該複数の発光ランプは、本体上に組み込まれ、
該透光カバーは、本体周側を覆うように設置され、且つ該複数の発光ランプを包囲し、
該電力供給ユニットは、本体内に組み込まれ、複数の発光ランプと電気接続し、
このように、電力供給ユニットが電力を提供し、発光ランプを発光させ、且つ透光カバー外に透過し、杖の周囲を照明し、使用者の足下の地形及び進路を照明する杖ランプ装置。
【請求項２】
前記本体底端に、収容溝を設け、該電力供給ユニットは、該収容溝内に組み込まれ、該本体は、更に、該収容溝に密閉して設置される蓋を含み、該本体は、更に、中空上端ソケットと、中空下端ソケットと、内管と、を含み、該内管両端にそれぞれ上端ソケットと、下端ソケットと、を組み付け、上下端ソケットは、それぞれ透光カバー両端に組み付けられ、且つ透光カバーは、内管外周側に囲うように設けられ、上記下端ソケットは、中空リング状の耐摩擦ブロックを組み付ける請求項１に記載の杖ランプ装置。
【請求項３】
前記本体は、該複数の発光ランプ及び電力供給ユニットと電気接続する制御回路を含み、且つ該制御回路は、光電部材を含み、該光電部材が外部環境の明暗を感知し、制御回路にオン又はオフにし、該光電部材は、フォトレジスタ、フォトダイオード又はフォトトランジスタの何れか1種であることができる請求項１に記載の杖ランプ装置。
【請求項４】
前記本体は、該複数の発光ランプ及び電力供給ユニットと電気接続する制御回路を含み、且つ該制御回路は、発振器を含み、発振器により杖ランプ装置が進行間に接触する地面の震動を感知する請求項１に記載の杖ランプ装置。
【請求項５】
前記本体は、該複数の発光ランプ及び電力供給ユニットと電気接続する制御回路を含み、且つ該制御回路は、タイマーを含み、タイマーにより制御回路に時間記録を提供し、発光ランプの動作を持続又はオフとすることに用いる請求項１に記載の杖ランプ装置。
【請求項６】
前記制御回路は、更に、第１導電片と、第２導電片と、第３導電片と、を含み、第２導電片は、第３導電片と電気接続し、該第１導電片及び第３導電片は、電力供給ユニットと電気接続する請求項３乃至５の何れか1項に記載の杖ランプ装置。
【考案の詳細な説明】
【技術分野】
【０００１】
本考案は、杖ランプ装置に関し、特に、杖の底端箇所に取り付けられ、使用者の足下の地形及び進路を照らすことができる杖ランプ装置に関する。
【背景技術】
【０００２】
杖の主要な用途は、下半身部分の機能失効、身体障害、行動が不便な年長者又は虚弱体質者を補助するか、登山客の平らでないか、湿って滑りやすい山道の歩行の安全性を増進する。
【０００３】
夜の暗がり、山中の天気の急速な変化等の環境において、単純な杖は、光がぼんやりした状況で使用者に安全な歩行を提供することができないので、関連業者は、杖の研究及び開発を行い、上記の遭遇する問題を解決している。例えば、中華民国出願番号第０９０２１０５３３号の杖の照明構造改良は、該杖のＴ形把手貫通収容室中に照明装置及びプッシュスイッチを組み込み、該プッシュスイッチにより照明装置の点灯又は消灯を制御する。該照明相違は、殻体、導電プラグ、バネ、絶縁ソケット、電池、回路板、グローブ、集光杯等の部材から構成され、その特徴は、以下のとおりである：
【０００４】
該殻体は、中空金属管であり、電池を収容し、その管内周環に絶縁紙を貼付する。該導電プラグ中央の通孔は、絶縁ソケットを組み込ませ、殻体末端に接続する。該絶縁ソケット中心は、バネを接続した第１導電片を固定設置し、その周辺及び導電プラグの間に第2導電片を設置する。該回路板は、発光ダイオードを挿入設置させ、背面に導電回路を設ける。該グローブは、集光杯及び回路板を組み込ませ、殻体前端に螺合し、その外周には、若干の歯車を敷設し、Ｔ型把手の貫通収容室に挿入設置できる照明装置を形成する。
【０００５】
上記杖は、前方の路面を照らす効果を有するが、実際の使用において、杖の周囲の環境を照らすことができず、特に、使用者の歩行の歩幅の範囲内、及び使用者の足下と杖の間は、十分な光線が照明を提供しておらず、使用者は、即時に足元の地形の変化を察知することができず、躓き、傷つく等の危険に遭遇し易い。
【０００６】
これに鑑みて、本考案者は、上記の欠陥を改善する為、関連製品の研究開発を行い、ようやく、杖ランプ装置を考案しており、それは、即時に足下の地形を照明し、使用者に外で光線が不足しているか暗がりの環境で良好な識別を行うことができ、事故で傷害が発生することを回避することができる。
【先行技術文献】
【特許文献】
【０００７】
【特許文献１】中華民国出願番号第０９０２１０５３３号明細書
【考案の概要】
【考案が解決しようとする課題】
【０００８】
本考案の目的は、歩行過程において、足下の地形及び進路を即時に照明し、杖底端に取り付けることができる杖ランプ装置を提供し、使用者に外で光線が不足しているか暗がりの環境下で良好な識別性を持たせ、事故傷害の発生を回避することにある。
【課題を解決するための手段】
【０００９】
上記の目的を達成するため、本考案の「杖ランプ装置」は、本体と、複数の発光ランプと、透光カバーと、電力供給ユニットと、を含み、
該本体は、その上端に組み込み溝を設け、該本体は、組み込み溝により杖底端に被さり設置定位し、
該複数の発光ランプは、本体上に組み込まれ、
該透光カバーは、本体周側を覆うように設置され、且つ該複数の発光ランプを包囲し、
該電力供給ユニットは、本体内に組み込まれ、複数の発光ランプと電気接続し、
このように、電力供給ユニットが電力を提供し、発光ランプを発光させ、且つ透光カバー外に透過し、杖の周囲を照明し、使用者の足下の地形及び進路を照明する。
【００１０】
本考案の「杖ランプ装置」は、更に下記技術特徴を含む：
１．上記本体底端に、収容溝を設け、該電力供給ユニットは、該収容溝内に組み込まれ、該本体は、更に、該収容溝に密閉して設置される蓋を含み、上記該本体は、更に、中空上端ソケットと、中空下端ソケットと、内管と、を含み、該内管両端にそれぞれ上端ソケットと、下端ソケットと、を組み付け、上下端ソケットは、それぞれ透光カバー両端に組み付けられ、且つ透光カバーは、内管外周側に囲うように設けられ、上記下端ソケットは、中空リング状の耐摩擦ブロックを組み付ける。
２．上記本体は、該複数の発光ランプ及び電力供給ユニットと電気接続する制御回路を含み、且つ該制御回路は、光電部材を含み、該光電部材は、フォトレジスタ、フォトダイオード又はフォトトランジスタの何れか1種であることができ、光電部材が外部環境の明暗を感知し、制御回路にオン又はオフにする。
３．上記本体は、該複数の発光ランプ及び電力供給ユニットと電気接続する制御回路を含み、且つ該制御回路は、発振器を含み、発振器により杖ランプ装置が進行間に接触する地面の震動を感知する。
４．上記本は、該複数の発光ランプ及び電力供給ユニットと電気接続する制御回路を含み、且つ該制御回路は、タイマーを含み、タイマーにより制御回路に時間記録を提供し、発光ランプの動作を持続又はオフとすることに用いる。
５．上記制御回路は、更に、第１導電片と、第２導電片と、第３導電片と、を含み、第２導電片は、第３導電片と電気接続し、該第１導電片及び第３導電片は、電力供給ユニットと電気接続する。
【００１１】
本考案は、実用性及び進歩性を有する考案であると言うことができ、産業界に推進し、社会大衆に公開するに値する。
【考案の効果】
【００１２】
本考案は、歩行過程において、足下の地形及び進路を即時に照明し、杖底端に取り付けることができる杖ランプ装置を提供し、使用者に外で光線が不足しているか暗がりの環境下で良好な識別性を持たせ、事故傷害の発生を回避する。
【図面の簡単な説明】
【００１３】
【図１】本考案の組み合わせ状態の立体説明図である。
【図２】本考案の局部分解状態説明図である。
【図３】本考案の局部組み合わせ状態説明図である。
【図４】本考案の断面状態説明図である。
【図５】本考案の使用状態説明図である。
【考案を実施するための形態】
【００１４】
上記の目的及び効果を達成する為、本考案は、好適実施例を挙げ、図面に合わせ、図１〜図５に示すように、本考案の「杖ランプ装置」は、本体１と、透光カバー２と、複数の発光ランプ３と、電力供給ユニット４と、を含む。
【００１５】
該本体１は、その上に組み込み溝１１を設け、且つ本体１は、組み込み溝１１により杖５底端に被せ設けられ定位し、該複数の発光ランプ３は、本体１上に組み込まれ、透光カバー２は、本体１周側を覆うように設けられ、該複数の発光ランプ３を包囲し、電力供給ユニット４は、本体１内に組み込まれ、複数の発光ランプ３と電気接続し、本考案は、ここで指す電力供給ユニット４は、複数の直列電池を例とする。
【００１６】
更に、本考案の「杖ランプ装置」の構造及び関連技術特徴を説明する：
該本体１は、該複数の発光ランプ３及び電力供給ユニット４と電気接続する制御回路３０を含み、該制御回路３０は、光電部材３１と、発振器３２と、タイマー３３と、を含み、上記光電部材３１は、フォトレジスト、フォトダイオード又はフォトトランジスタの何れか1種であることができる。
【００１７】
該本体１底端に、収容溝１２を設け、該電力供給ユニット４は、該収容溝１２内に組み込まれ、該本体１は、更に、該収容溝１２に密閉して設置される蓋１３を含み、蓋１３を回転させることにより、収容溝１２内の電力供給ユニット４を交換することができ、該本体１は、中空上端ソケット１４と、中空下端ソケット１５と、内管１６と、を含み、該内管１６両端にそれぞれ上端ソケット１４と、下端ソケット１５と、を組み付け、上下端ソケット１４，１５は、それぞれ透光カバー２両端に組み付けられ、且つ透光カバー２は、内管１６外周側に囲うように設けられ、透光カバー２及び内管１６の間に隙間を有し、該下端ソケット１５は、内管１６内に貫通設置される延伸管１５１を設け、且つ該延伸管１５１末端は、上端ソケット１４が内管１６に組み付けられる位置を超過し、上記蓋１３は、該下端ソケット１５か所に組み付けられ、上記収容溝１２は、延伸管１５１底端箇所に設けられ、且つ該延伸管１５１外壁面及び内管１６内壁面の間に隙間を有し、上記組み込み溝１１は、該延伸管１５１そてぇ鬼面及び内管１６内壁面の間の隙間であり、該下端ソケット１５は、中空リング状の耐摩擦ブロック１７を組み付ける。
該制御回路３０は、上端ソケット１４底端箇所に組み付けられ、且つ制御回路３０は、更に、第１導電片３４と、第２導電片３５と、第３導電片３６と、を含み、第２導電片３５は、第３導電片３６と電気接続し、該第１導電片３４及び第３導電片３６は、電力供給ユニット４と電気接続する。
【００１８】
該第1導電片３４は、内管１６周側に沿って軸向きに設置され、且つ湾折し、内管１６を貫通し、延伸管１５１周側に貼付され、延伸管１５１上端の収容溝１２内に挿入され、電力供給ユニット４と電気接続し、該第２導電片３５は、内管１６周側に沿って軸向きに設置され、下端ソケット１５に挿入され、該第３導電片３６は、該蓋１３上端に設置され、且つ該第３導電片３６は、電力供給ユニット４及び第２導電片３５と電気接続する。
【００１９】
本装置が杖５底端に設置され、照明が使用される時、日光の照射を介し、光電部材３１の動作を触発し、制御回路３０のオン又はオフを制御し、例えば、外で暗がり環境時、光電部材３１は、制御回路３０をオンにし、且つ発振器３２により本装置の進行間に地面に接触する震動を感知し、タイマー３３により時間記録を制御回路３０に提供する。
【００２０】
このように、制御回路３０は、タイマー３３の時間記録内（ここでは、３０秒を例とする）、３０秒の時間内に発振器３２により杖ランプ装置が進行間に地面に接触する震動を感知し、制御回路３０は、発光ランプ３のオンを持続し、発光ランプ３が発光し、透光カバー２外へ透過し、杖５の周囲を照明し、使用者の足下の地形及び進路の照明を持続できるようにする。
【００２１】
タイマー３３の３０秒の時間記録内に発振器３２が本装置の地面に接触する震動を感知しない時、制御回路３０は、即時、発光ランプ３をオフとし、電力供給ユニット４の不要な電力出力を節減することができる。上記説明が理解できた後、本装置は、歩行過程において、足下の地形及び進路の照明を持続し、杖５底端に取り付けた杖ランプ装置は、使用者に外で光線が不足しているか、暗がりである環境において、良好な識別性を提供し、事故傷害が発生することを回避し、これにより、本考案の目的及び効果を達成する。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１  本体
１１  組み立て溝
１２  収容溝
１３  蓋
１４  上端ソケット
１５  下端ソケット
１５１  延伸管
１６  内管
１７  耐摩擦部
２  透光カバー
３  発光ランプ
３０  制御回路
３１  光電部材
３２  発振器
３３  タイマー
３４  第１導電片
３５  第２導電片
３６  第３導電片
４  電力供給ユニット
５  杖
【図１】
0003167949.tif 000003
【図２】
0003167949.tif 000004
【図３】
0003167949.tif 000005
【図４】
0003167949.tif 000006
【図５】
0003167949.tif 000007